(57)【特許請求の範囲】
【請求項１】
噴霧ノズルの周囲に、らせん状の旋回気流を発生する複数個の空気ノズルを設けて、噴霧と空気を混合、撹拌する混合促進装置を構成し、加湿対象空気が流れる区域に立設した支柱に、前記混合促進装置を多段に設け、且つ、前記支柱内部を前記混合促進装置に空気を供給するための空気本管として構成し、該混合促進装置から出る旋回加湿気流を、前記加湿対象空気の流れの中に流入させることを特徴とする、立柱式広域噴霧加湿装置。
【請求項２】
請求項１において、前記噴霧と空気の混合促進装置を主柱の少なくとも一側に多段に設置し、該混合促進装置の空気ノズルに供給する空気通路を、前記空気本管から分岐したことを特徴とする、立柱式広域噴霧加湿装置。
【発明の詳細な説明】
【０００１】
【発明の属する技術分野】
本発明は、広い空調空間に加湿するために用いられる、水噴霧式加湿装置に関する。
【０００２】
【従来の技術】
この種の加湿装置として従来使用されているものは、加湿対象空気の流路に、該流路と直角に水パイプを格子状に配管し、該水パイプに多数の噴霧ノズルを取付け、該ノズルから噴射される噴霧と加湿対象空気を混合させる方式が採用されている。しかし、この方式を空調空間に直接採用すると、前記格子状の配管が該空調空間を広く横切るので、該空間における障害物となる不都合がある。
【０００３】
【発明が解決しようとする課題】
本発明は、空調空間を広く横切ることなく設置でき、且つ加湿能力が高い水噴霧式加湿装置を得ることを課題とする。
【０００４】
【課題を解決するための手段】
前記課題を解決するための手段の一つは、請求項１に記載したとおり、噴霧ノズルの周囲に、らせん状の旋回気流を発生する複数個の空気ノズルを設けて、噴霧と空気を混合、撹拌する混合促進装置を構成し、加湿対象空気が流れる区域に立設した支柱に、前記混合促進装置を多段に設け、且つ、前記支柱内部を前記混合促進装置に空気を供給するための空気本管として構成し、該混合促進装置から出る旋回加湿気流を、前記加湿対象空気の流れの中に流入させることを特徴とする。
【０００５】
この手段によれば、多段の混合促進装置の噴霧ノズルから出る噴霧は、それぞれ空気ノズルによって形成されるらせん状の旋回気流及び誘引される周囲空気と混合撹拌した旋回加湿気流となって支柱位置から遠くまで放出され、各旋回加湿気流に加湿対象空気流が衝突しながら混合して拡散され、加湿対象空気の高さ方向において均一な加湿状態が得られる。
【０００６】
また、前記課題を解決するための他の手段は、請求項２に記載したとおり、請求項１において、前記噴霧と空気の混合促進装置を主柱の少なくとも一側に多段に設置し、該混合促進装置の空気ノズルに供給する空気通路を、前記空気本管から分岐したことを特徴とする。
【０００７】
この手段によれば、支柱の少なくとも一側に設けた多段の混合促進装置には、支柱内の空気本管から空気が分配され、該混合促進装置から出た各旋回加湿気流は、加湿対象気流が斜め又は側方から衝突して拡散される。
【０００８】
【発明の実施の形態】
以下、図面を参照して本発明の実施の形態を説明する。図１において１は本発明の立柱式広域噴霧加湿装置であり、２は該装置１の全体を支える中空の支柱で、その内部が空気本管２ａとなっており、支柱２に取付けた送風機２ｂ，２ｃから送気される。主柱２の両側面には、噴霧と空気を混合する混合促進装置３が左右に４段に連設されている。該噴霧加湿装置１は、空調域４内において、加湿対象空気５の流れに対向してその上流側に設置されており、左右の混合促進装置３．３…は、可撓管６に接続されて、加湿対象空気４の方向に対して傾斜した方向に向けて配置され、区域Ａの範囲に加湿する。
【０００９】
前記混合促進装置３は、図２に示すように噴霧ノズル７と送気部８からなり、噴霧ノズル７は、前端に噴口７ｉを有し、側部には水管７ａと圧縮空気管７ｂが接続され、圧縮空気管７ｂには、３気圧程度の圧縮空気が供給され、該圧縮空気の噴出力で水を吸引して噴口７ｉから噴霧Ｓ1を噴出する。送気部８は、空気室８ａと、その前面から等間隔で突出する６本の空気吹出管８ｂと、その前端の空気ノズル８ｃとを備えるもので、該空気吐出管８ｂとしては、任意形状に湾曲させることができ、湾曲させた後はその形状を維持できる可撓管が用いられ、各空気ノズル８ｃがねじれ角を形成する方向に曲げられており、各空気ノズル８ｃから高速気流Ａ1が噴出する。またこの高速気流Ａ1によって誘引気流Ａ2が発生し、各気流Ａ1，Ａ2は、らせん状の旋回流となって前記噴霧Ｓ1と合流してこれを撹拌し、霧の水滴を微細化しながら低濃度の旋回加湿気流Ｓ2となって拡散する。
【００１０】
前記加湿対象空気５は、０．５〜３ｍ／ｓｅｃの速度で線０1の方向に供給され、これに対して噴霧Ｓ1又は旋回加湿気流Ｓ2は、傾斜角α＝３０〜９０゜の角度を形成する線０2の方向に流れる。したがって旋回加湿気流Ｓ2は、加湿対象空気５に吹きつけられて斜め後方に変向して流れて変向加湿気流Ｓ3になる。
【００１１】
図１において、９は純水配管、１０は圧縮空気配管であり、分岐管９ａ，１０ａ，ホース９ｂ，１０ｂを介して、配管９，１０は、前記水管７ａ及び圧縮空気管７ｂに接続されている。
【００１２】
また、支柱２における前記送風機２ｂ，２ｃの接続部分の中間には、常時は閉鎖した仕切りダンパ１１が設けられて空気本管２ａが上下に２分割され、上半部の混合促進装置３の空気ノズル８ｃには上方の送風機２ｂから可撓管６を経て送気し、下半部の混合促進装置３には下方の送風機２ｃから送気するようになっており、上下各半部を独立して運転又は制御することを可能にしている。１１ａはダンパ１１の調節ハンドルで該ダンパ１１を開けば、上下両半部を共同運転させることができる。図中、１２は操作制御盤、１３は加湿装置１の機器基礎で、該操作制御盤１２によって、混合促進装置３に供給する水量、空気圧等を調節して湿度制御がなされる。
【００１３】
図３は、本発明の噴霧加湿装置１の作動状態を示し、仕切りダンパ１１は閉とされ、各混合促進装置３の噴霧ノズル７には前記のとおり純水と圧縮空気が供給され、上下の送風機２ｂ，２ｃが運転される。噴霧ノズル７から噴出する噴霧Ｓ1は、各空気ノズル８ｃから出る旋回気流によって撹拌混合されて旋回加湿気流Ｓ2となって放出される。
【００１４】
この旋回加湿気流Ｓ2に対して加湿対象空気５が傾斜角αで斜め前方又は側方から衝突するので、旋回加湿気流Ｓ2は、後方へ湾曲して変向加湿気流Ｓ3となる。これらの旋回加湿気流Ｓ2及び変向加湿気流Ｓ3は、遠心力で端末側が大径になるため、上下の気流Ｓ2，Ｓ2及び気流Ｓ3，Ｓ3が相互に衝突して撹拌し合って混合が促進され、幅Ｗ、高さＨの過飽和空気層が支柱２の左右に形成されて区域Ａに広がり、下流側で左右の過飽和空気層が合体して均質な調和空気層になって空調空間に流れる。なお、従来の水パイプを格子状に配置する方式では、前記幅Ｗの空間が該水パイプの占有空間となっていたが、本発明にあっては、この空間を保守用、物品搬送用等に利用することができる。
【００１５】
前記実施の態様は、混合促進装置３を支柱２の両側に４段に設けているが、空調すべき空間の幅及び高さに応じて、該装置３を設けた支柱数を増加したり、装置３の段数を増減することができる。
【００１６】
【発明の効果】
以上の説明から明らかなように、請求項１の手段によれば、加湿対象空気が流れる空間に支柱を立設し、噴霧ノズルから出る噴霧を旋回気流及び誘引気流で混合撹拌して旋回加湿気流を発生する混合促進装置を、前記支柱に多段に設け、加湿対象気流中に該旋回加湿気流を放出するので、霧と空気が充分に混合した大量の加湿空気を発生して広範囲に均等に供給することができ、工場、ホールなどの大空間に適用できる。しかも、各混合促進装置は１本の支柱だけ支持されているから、場所をとらず、保守用空間又は物品を搬入、搬出する空間に設置しても、加湿装置が邪魔にならない効果がある。
【００１７】
また、混合促進装置の寸法、能力を規格化しておくと、加湿対象空間の大きさ及び所要湿度に応じて適数の混合促進装置を用いればよく、設計が容易である。
【００１８】
また、請求項２の手段によれば、支柱の少なくとも一側に設けた混合促進装置で旋回加湿気流を発生するから、空調空間に大量の加湿空気を送ることができる効果がある。
【図面の簡単な説明】
【図１】  本発明の実施の形態の斜視図
【図２】  混合促進装置の斜視図
【図３】  作動状態を示す斜視図
【符号の説明】
２  支柱              ３  混合促進装置
４  空調域            ５  加湿対象空気
６  可撓管            ７  噴霧ノズル
７ａ  水管            ７ｂ  圧縮空気管
８ｃ  空気ノズル
【図１】
0004402188.tif 000002
【図２】
0004402188.tif 000003
【図３】
0004402188.tif 000004